(57)【要約】  フィルタであり得る血管内装置は複数の長尺状部材１０２を含み、各長尺状部材又は複数の長尺状部材は、一つ以上の内に向いた刃１１０を有し、血管内装置の部分及びその付近に配置された該刃１１０は管壁と接触するように構成され、それにより脈管内膜又はその他の被覆組織を切開可能であり、各長尺状部材は更に固定部材１０４又はその他所望の構成要素を含む。
2007528270.tif 000002
【特許請求の範囲】
【請求項１】
中心軸を有する血管内フィルタであって、
長尺状部材と、
前記フィルタ部材に取り付けられる管壁に前記血管内フィルタを固定するための固定部材と、
前記フィルタ部材に配置されるとともに前記中心軸に向かって実質的に対面する切削部材と、
を備える血管内フィルタ。
【請求項２】
前記長尺状部材は第一の端部と第二の端部を有する第一の長尺状領域を含み、
前記第二の端部は前記固定部材に近接しており、かつ
前記切削部材は前記第一の端部から前記第二の端部まで延びる、請求項１に記載のフィルタ。
【請求項３】
前記フィルタが管壁を有する体腔内に配置された場合、前記固定部材が前記管壁と接触し、かつ前記長尺状領域の第一の端部が前記管壁から離間されるように該フィルタが配置される、請求項２に記載のフィルタ。
【請求項４】
前記第一の長尺状領域及び前記切削部材は第一の断面を有し、
前記長尺状部材は第二の断面を有する第二の長尺状領域を更に含み、前記第二の長尺状部材は前記第一の長尺状部材の第一の端部に近接しており、かつ
前記第一の断面は、前記第二の断面の外縁部より小さい外縁部を有する、請求項２に記載のフィルタ。
【請求項５】
前記切削部材は、前記第一の端部から第二の端部まで延びる一つの刃を含む、請求項２に記載のフィルタ。
【請求項６】
前記切削部材は前記第一の端部から延びる第一の刃と、前記第二の端部から延びる第二の刃とを含む、請求項２に記載のフィルタ。
【請求項７】
前記第一の刃及び前記第二の刃はほぼ整列している、請求項６に記載のフィルタ。
【請求項８】
前記第一の刃は前記第二の刃から離間されている、請求項７に記載のフィルタ。
【請求項９】
前記切削部材は、前記第一の刃と前記第二の刃との間にあって、かつ該第一の刃と該第二の刃と整列して配置された第三の刃を更に含み、前記第三の刃は前記第一の及び第二の刃から離間されている、請求項８に記載のフィルタ。
【請求項１０】
前記第一刃と前記第二の刃との間の間隙は、楔型に形成されている、請求項８に記載のフィルタ。
【請求項１１】
前記第一の刃と前記第二の刃との間の間隙は、ブロック状に形成されている、請求項８に記載のフィルタ。
【請求項１２】
前記第一の刃と前記第二の刃との間の間隙は、Ｕ字型に形成されている、請求項８に記載のフィルタ。
【請求項１３】
前記固定部材は、内に向いた切削部材を含む、請求項１に記載のフィルタ。
【請求項１４】
前記フィルタは大静脈フィルタである、請求項１に記載のフィルタ。
【請求項１５】
前記フィルタ部材は金属からなる、請求項１に記載のフィルタ。
【請求項１６】
前記フィルタはステンレス鋼からなる、請求項１５に記載のフィルタ。
【請求項１７】
前記フィルタはニッケル−チタン合金からなる、請求項１５に記載のフィルタ。
【請求項１８】
前記合金はニチノールである、請求項１７に記載のフィルタ。
【請求項１９】
前記フィルタ部材上に配置され、かつ実質的に前記中心軸に対面する第二の切削部材を有する第二の長尺状部材を更に含む、請求項１に記載のフィルタ。
【請求項２０】
前記フィルタ部材上に配置され、かつ実質的に前記中心軸に対面する第三の切削部材を有する第三の長尺状部材を更に含む、請求項１９に記載のフィルタ。
【請求項２１】
塞栓を保持するフィルタ部を更に含み、前記フィルタ部は第一の長尺状部材を含む、請求項１に記載のフィルタ。
【請求項２２】
血管内フィルタを形成する方法であって、前記方法は、
中心長手軸と、前記中心長手軸から少なくとも部分的に離間して配置された長尺状部材と、を有するフィルタを提供する工程と、
前記長尺状部材上に、前記中心長手軸に対面して刃を配置する工程と、
からなる方法。
【請求項２３】
前記長尺状部材は第一の端部と第二の端部とを有し、かつ前記第二の端部に取り付けられた固定部材を提供する工程を更に含む、請求項２２に記載の方法。
【請求項２４】
前記刃を配置する工程は、前記長尺状部材を放電加工（ＥＤＭ）する工程を含む、請求項２２に記載の方法。
【請求項２５】
前記刃を配置する工程は、前記長尺状部材を研削して刃を形成する工程を含む、請求項２２に記載の方法。
【請求項２６】
前記刃を配置する工程は、
前記長尺状部材にスロットを提供する工程と、
前記長尺状部材にブレードを挿入する工程と、
を含む、請求項２２に記載の方法。
【発明の詳細な説明】
【技術分野】
【０００１】
本発明は、血管内装置に関し、より詳細には取り付け可能であり、その後に選択的に除去可能な血管内装置に関する。
【背景技術】
【０００２】
ある種の血管内装置は、一定期間の間、血管のような体腔内に留置され得る。例えば、大静脈フィルタは、血塊及びその他の塞栓性の残骸を捕捉し、かつ該血塊及びその他の塞栓性の残骸が溶解又は除去されるまでの間それらを保持するために大静脈に移植される。インターベンション処置の後、例えば２週間以上のような所定期間の間、このフィルタを所定の位置に留置し、その後除去されることが望ましい。これらのフィルタは多くの場合、管壁と接触する長尺状部材により所定の位置に保持される。管壁はしばしば、該管壁と接触する長尺状部材の一部を、内皮細胞が成長することにより被覆する。従って、除去することが望ましい場合、該長尺状部材をこの内皮細胞の成長部から解放することが必要となる。
【発明の開示】
【発明が解決しようとする課題】
【０００３】
本発明は上記した懸案を鑑みてなされたものである。
【課題を解決するための手段】
【０００４】
一実施形態は、フィルタであって、該フィルタを部分的に被覆する管から、該管に対する損傷を最小限に留めて除去することが可能なフィルタに関する。本実施形態のフィルタはグリーンフィールド型のフィルタであるが、その他のフィルタ形状及びその他の医療用装置も意図されている。フィルタは管壁に取り付けるべく構成された一つ以上の長尺状部材を有する。各長尺状部材は第一の端部と第二の端部とを有する。フィルタを管壁に固定するために、固定部材が第二の端部に取り付けられる。第二の端部から長尺状部材に沿って切削刃が延びている。切削刃はフィルタの中心の長手軸に向かって指向しており、結果として最も近い管壁から離間している。
【０００５】
第二の実施形態は、第一の実施形態に類似の、内に向いた切削刃を備えた一つ以上の長尺状部材を有するフィルタに関する。該フィルタは、低減したプロファイルを有する長尺状部材の一部に内に向いた切削刃を含み、それにより、切削刃を含む該長尺状部材のその部分の全体のプロファイルは該長尺状部材の別の部分のプロファイル以下となる。
【０００６】
別の実施形態は、第一の実施形態に類似の長尺状部材を一つ以上有するフィルタに関する。ほぼ整列されるとともに内に向いた二つ以上の切削刃がこれらの長尺状部材上に設けられている。これら二つ以上の切削刃は互いに離間されており、該刃の間には間隙が設けられている。
【０００７】
更に別の実施形態は、第一の実施形態に類似の一つ以上の長尺状部材を有するフィルタに関する。該長尺状部材の各々の端部には、以下に詳細に記載されているようにフックからなる固定部材が備えられている。長尺状部材とほぼ平行であるフックの部分に、ほぼ内に向いた別の切削刃が設けられている。
【０００８】
更に別の実施形態は、製造方法に関する。長尺状部材を有するフィルタが提供される。該長尺状部材の一部は、内に向いた切削刃を形成するために加工されている。これは、例えば、放電加工（ＥＤＭ）、研削又はその他の適切な方法により実施される。
【０００９】
更に別の実施形態は、第二の製造方法に関する。長尺状部材を有するフィルタが提供される。切削刃を有するブレードが長尺状部材に取り付けられる。これは、例えばレーザ溶接により実施される。付随的に、又は代替的に、該長尺状部材にスロットが形成され、内に向いた切削刃を露出した状態にて、切削ブレードが該スロットに部分的に挿入される。
【００１０】
更に別の実施形態は使用方法に関する。大静脈フィルタのような長尺状部材を有する医療用装置は、例えば大静脈に移植される。長尺状部材は医療用装置を所定の位置に保持し、内に向いた切削刃をその上に配置させる。一定の期間の後、内皮細胞の成長が、新生内膜過形成と称される過程により、長尺状部材を部分的に被覆する。仮に除去が望ましい場合、長尺状部材は径方向内向きに付勢され、該切削刃が内皮の被覆を切り開く。このように定義された切削は、切削刃を備えておらずよっていかなる内皮の被覆をも引き裂く必要のある実施形態のものの除去と比較して、損傷が少ないであろう。回収に要する応力もより少なくなるであろう。次に、医療用装置が圧縮され、大静脈から除去される。
【００１１】
幾らかの実施形態の上記要約は、本発明の開示された各実施形態又は全ての実施を記載することを意図していない。図面及び以下に記載される詳細な説明は、これらの実施形態をより詳細に例示するものである。
【発明を実施するための最良の形態】
【００１２】
本発明は、添付した図面と関連した本発明の種々の実施形態の以下の詳細な説明を考慮してより完全に理解されるであろう。
【００１３】
以下の詳細な説明は図面を参照して読み取られるべきであり、異なる図面における同様の部材には同一の符号が付与されている。縮尺化が必ずしも必要ではない図面は選択された実施形態を記載するものであり、本発明の範囲を制限することは意図してはいない。
【００１４】
図１は、長尺状部材１０２を有する大静脈フィルタ１００の斜視図である。長尺状部材１０２は、端部に固定部材１０４が配置されている。詳細な説明は長尺状部材１０２についてなされているが、該フィルタ１００は更なる長尺状部材１０６をも含んでおり、該長尺状部材１０６は長尺状部材１０２とほぼ同じように構成されている。フィルタ１００は本実施形態を例示するために選択されているが、本実施形態又は任意の実施形態は該フィルタ１００に制限されるものではない。他の用途も考慮されている。例えば、該実施形態はその他の大静脈フィルタに容易に適合され得る。実際に、該実施形態は、長尺状部材によってその位置に保持される任意の移植可能な医療用装置に容易に適合され得る。同様に、本実施形態もいかなる実施形態も、ほぼ直線状の長尺状部材であって、その端部が管壁に接触した長尺状部材により保持される医療用装置に制限されるものではない。その端部というよりはむしろ中間部が管壁と接触した長尺状部材の実施形態も考慮される。そのような長尺状部材は例えば湾曲されている。従って、種々の形態である多岐にわたる医療用装置を備えた実施形態も考慮される。
【００１５】
本実施形態において、長尺状部材１０２は、ステンレス鋼、又はニッケル−チタン合金のようなその他の適切な生体適合性材料から形成され得る。長尺状部材１０２はほぼ円形の断面を有する。その他適切な断面形状が考慮される。例えば、楕円形又は長方形が同等であるか、又はある種の用途ではより適切である。長尺状部材１０２は、所望である場合には、治療剤でコーティングされている。例えば、長尺状部材１０２は新生内皮過形成に抵抗性を有する薬剤でコーティングされている。
【００１６】
次に、長尺状部材１０２の端部の拡大側面図である図２を参照する。固定部材１０４がより詳細に示されている。固定部材１０４はその端部にバーブ１０８を備えたフック形状を有する。フック形状及びバーブ１０８はフィルタ１００を所望の位置に保持するために使用され得る。長尺状部材１０２には刃１１０が配置されている。刃１１０はフィルタ１００の中心に対面しており、かつ管壁から離間している。刃１１０はブレード１１２上に配置されているか、又は長尺状部材１０２から成形された部分であり得る。例えば、刃１１０は長尺状部材１０２を放電加工することにより形成され得る。刃１１０は長尺状部材１０２のフックの端部付近から始まり、該長尺状部材１０２の一部を上向きに延びている。一実施形態において、刃１１０は、該刃１１０の一部が、新生内皮過形成過程によって殆ど被覆されないように、該長尺状部材１０２を十分に上向きに延びている。言い換えれば、刃１１０は管壁から十分に離間して延びており、かつ露出された状態が維持されるように長尺状部材１０２を上向きに延びている。刃１１０は、管の成長部を切り開くのに十分に鋭利にされるべきである
図３は、別の実施形態の血管内装置の長尺状部材２０２の側面図である。長尺状部材２０２は大静脈フィルタの一部であるか、又は別の血管内装置の一部であり得る。長尺状部材は、固定部材２０４と刃２１０とを含む。刃２１０は長尺状部材２０２の切り欠き部２１４に配置され、かつブレード２１２上に存在する。切り欠き部はブレードを備えた長尺状部材の全断面積を低減するために設けられている。一実施形態において、切り欠き部２１４は刃２１０を備えた長尺状部材２０２の部分の断面積が切り欠き部を備えていない長尺状部材２０２の部分を超えて延びないような十分な深さである。従って、血管内装置は、挿入又は退出のために圧縮された場合低減されたプロファイルを有する。
【００１７】
図４は、本発明に従う血管内装置の長尺状部材３０２の上面図である。長尺状部材３０２は固定部材３０４を含み、該固定部材３０４は既に述べた固定部材と類似しているか、又は別の適切な固定部材であり得る。長尺状部材は、内に向いた刃３１０を含み、かつ固定部材３０４は内に向いた刃３１６を含む。従って、両方の刃は、長尺状部材３０２の部分及び固定部材３０４から離間する方向に向いており、管壁と接触するように構成されている。刃３１０及び３１６は複数の意図された変形例であってもよい。例えば、図示された実施形態において、刃はほぼ直線状であり、かつ長尺状部材３０２及び固定部材３０４のほぼ直線状の部分に配置されている。別の実施形態において、刃３１０及び３１６は、長尺状部材と固定部材との間を湾曲して、接合して一つの連続的な刃を形成すべく伸張することもできる。別の実施形態において、刃３１０及び３１６の間に第三の刃を設けることもでき、該第三の刃は異なる角度にて配置され、かつ管壁から離間されている。例えば、この第三の刃は血管内装置が後退される方向に更に向かって配置され得る。別の実施形態において、この第三の刃は、刃３１０及び３１６と滑らかに接合している。
【００１８】
図５は固定部材４０４を有する複数の長尺状部材４０２を含む血栓フィルタ４００の斜視図である。図６は長尺状部材４０２の斜視図である。長尺状部材４０２は、二つ以上の離間した、内に向いた刃４１０を有するブレード４１２を含む。刃４１０はブレード内の切断部４１８により分離されている。切断部４１８は、ブレード４１２の二つの領域の間の完全な間隙であり得るか、又は材料の部分的な除去であり得る。例えば、切断部４１８はブレードの二つの部分の間のＶ字型又はＵ字型のスロットであり得る。別の実施形態において、切断部４１８は、ブレード４１２の二つの領域の間の僅かな径方向へのオフセットであり、長手方向の間隙を含み得ない。切断部４１８はブレードの成形時に材料を除去することによって、或いはブレードを組み立てて接合した後に材料を除去することによって作製され得る。切断部４１８はまた、複数のピースからなるブレードを長尺状部材に組み立てることにより作製され得る。
【００１９】
その他の実施形態も考慮され得る。血管内装置の例示的な一実施形態は長尺状部材を含み、該部材において、ほぼ内に向いた刃が該長尺状部材の切り欠き部内に固定されることにより全体のプロファイルが低減され、かつ刃が一つ以上の間隙を含む。別の実施形態において、一つ以上の長尺状部材が、抗血管新生薬又はその他所望の薬剤のような治療剤でコーティングされている。別の実施形態において、血管内装置は、内に向いた刃を備えた長尺状部材と、該装置から容易に切り離されるように構成された固定部材と、を有する。本明細書に記載された実施形態は、考慮される実施形態のほんの制限されたものであり、本発明を例示するためのものであり、本発明の種々の実施形態への広い適用を示すものである。
【００２０】
図７は、新生内膜過形成が起こるのに十分な期間、大静脈フィルタ１００が大静脈内に留置された後の長尺状部材１０２の一部概略図である。長尺状部材１０２は固定部材１０４と刃１１０とを含み、該刃はブレード１１２に配置されている。大静脈壁は、外膜１２０、中膜１２２及び脈管内膜１２４を含む。固定部材と長尺状部材の一部を被覆するのはこの最後の層である脈管内膜１２４である。図示されるように、刃１１０は体腔の壁から離間する向きであって、管の中心に向かう向きに対面している。刃１１０は脈管内膜１２４及び予測される新生内膜過形成部にて被覆される可能性のある長尺状部材１０２の部分を越えて延びるように構成される。
【００２１】
大静脈フィルタ１００の除去が望ましい場合、以下の方法、又はその他適切な方法にて達成され得る。大静脈フィルタ１００は、たぶん該フィルタをガイドワイヤの端部にある保持装置で把持することにより、或いは別の適切な方法により不必要な長手方向の移動を回避するために保持され得る。長手部材は内向きに付勢される。この付勢は例えば、長手部材上のカテーテルの動作によって達成され得る。カテーテルが大静脈フィルタ上を摺動される場合、カテーテル端部の内側リップは、該長尺状部材が内向きに移動しようとする力を該長尺状部材に与える。長尺状部材が内向きに付勢されると、刃１１０が脈管内膜１２４を切開し、長尺状部材の端部及び固定部材が脈管内膜を貫通するための経路を提供する。脈管内膜の貫通する経路を引き裂くよりはむしろ切開することにより、管壁に対する損傷が低減される。切開は引き裂きより組織に対する損傷がより少ないために、この損傷が低減される。切開は引き裂きより小さな応力を用いて形成され、従って周囲の組織がより小さな応力を受けることになるために、損傷が低減される。また、カテーテルを介する送達はより小さな応力を必要とするのみである。従って、より多くの状況において除去が可能となる。長尺状部材の付勢は一つの完全な動作によって行われるか、又は所望であればより小さな繰り返しの動作によって行われ得る。刃が脈管内膜から管腔内へ延びるような構成とすることによって、管壁上において切開が容易に開始され得る地点が提供される。脈管内膜が切開される場合、長尺状部材１０２の端部及び固定部材１０４は管壁から容易に除去され、そして大静脈フィルタが圧縮除去される。
【００２２】
本明細書によって網羅される本発明の種々の利点を上記記載にて述べてきた。しかしながら、この開示は多くの点において例示のみのものであることが理解されるべきである。詳細において変更がなされ、特に、形状、大きさ、部品の配置、工程の順序に関しては、本発明の範囲を逸脱することなく変更が可能である。無論、本発明の請求の範囲は、添付されたクレームが表現される文言により定義される。
【図面の簡単な説明】
【００２３】
【図１】本発明に従う大静脈フィルタの斜視図である。
【図２】図１のフィルタのストラットの側面図である。
【図３】本発明に従う医療用装置の長尺状部材の側面図である。
【図４】本発明に従う血管内装置の長尺状部材の上面図である。
【図５】本発明に従う大静脈フィルタの斜視図である。
【図６】図５のフィルタのストラットの側面図である。
【図７】管壁内に被覆されたストラットの概略図である。
【図１】
2007528270.tif 000003
【図２】
2007528270.tif 000004
【図３】
2007528270.tif 000005
【図４】
2007528270.tif 000006
【図５】
2007528270.tif 000007
【図６】
2007528270.tif 000008
【図７】
2007528270.tif 000009
【国際調査報告】
2007528270.tif 000010
2007528270.tif 000011